(57)【要約】【課題】オンデマンド方式の収納袋内のカイロの温度を、利用者の体感温度に最適な温度に制御して、カイロのを必要に応じて発熱させるとともに、芳香をも発生させる。【解決手段】収納袋ａ内の入口に設けられた開閉機構ｂの蓋ｃを開閉して、カイロｌおよびポプリｋからの芳香発生を制御する。使用者の体感温度に、カイロｌの燃焼を適合させるとともに芳香が発生して、快適に使用できる。【選択図】図１
2008144332.tif 000002
【特許請求の範囲】
【請求項１】
酸化発熱タイプのカイロおよびポプリを入れた収納袋と、当該収納袋内の上記カイロおよびポプリに空気を供給する手段を有し、上記空気の供給を制御して、上記カイロの発熱と、上記ポプリからの芳香の発生を調節することを特徴とする保温防寒用品。
【請求項２】
上記空気の供給の制御は、上記収納袋の有する収納口の開閉を、外部から制御することによって行なわれることを特徴とする請求項１に記載の保温防寒用品。
【請求項３】
上記保温防寒用品は、手袋、ルーズソックス若しくはスリッパであることを特徴とする請求項１若しくは２に記載の保温防寒用品。
【請求項４】
上記収納袋の開閉は、当該収納袋の入り口に設けられた凹ラインに、上記開閉機構の蓋側に設けられた凸ラインを嵌合させることによって行なわれること特徴とする請求項２に記載の保温防寒用品。
【請求項５】
上記カイロおよびポプリは、それぞれ別の袋に収納され、当該別の袋は上記収納袋中に入れられていることを特徴とする請求項１から４のいずれか一に記載の保温防寒用品。
【請求項６】
上記カイロおよびポプリは、混合して一つの袋に収納され、当該一つ袋は上記収納袋中に入れられていることを特徴とする請求項１から４のいずれか一に記載の保温防寒用品。
【発明の詳細な説明】
【技術分野】
【０００１】  本発明は保温防寒用品に関し、詳しくは、発熱を所望の体感温度に制御することができるとともに、各種ポプリの芳香を楽しむことができる、オンデマンド方式の手袋、カードソックス若しくはスリッパなど、身体各所に使用することができる保温防寒用品に関する。
【背景技術】
【０００２】  従来、寒い季節あるいは寒冷地において、防寒用品を使用する場合、防寒用品の布地や素材などでは対応できない場合は、カイロなどの熱源を使用して、不足を補っていた。しかし、カイロなどの熱源は、単に一定時間連続して発熱し、一定温度に加温するのみであって、温度を所望温度に調節したり、加温を断続したりすることはできなかった。【０００３】  また、従来は、単に寒さを防ぐいう点のみが重視され、それ以上の快適さは特に求められなかった。
【発明の開示】
【発明が解決しようとする課題】
【０００４】  そのため、例えば防寒用品の加熱手段としてカイロを使用する場合、同じカイロであっても、外気温あるいは使用者の個人差によって、体感温度が過度になって厚すぎたり、あるいは加温が不充分で寒かったりしていたた。また、カイロを使用する際の、防寒以外の使用の際の快適さについては、とくに考えられなかった。【０００５】  本発明の目的は、従来の防寒用品の有する上記問題を解決し、外気温あるいは使用者の個人差によって、それぞれ異なる体感温度に対し、所望のときに、発熱温度の調整もしくは断続的な発熱中止が可能で、使用者の体感温度を最適なものにすることが可能な、オンデイマンド方式の保温防寒用品を提供することである。【０００６】  本発明の他の目的は、単に防寒のみてはなく、使用することが極めて快適な、保温防寒用品を提供することである。
【課題を解決するための手段】
【０００７】  上記課題を解決するため、本発明は、空気の供給を外部からコントロールできる、開閉機能を有する収納袋内にカイロとポプリを収納する。これにより本発明は手袋などの保温防寒用品に対し、必要なカイロの発熱を調整若しくは断続的な発熱を行ない、それとともに、ポプリからの芳香の発生を行なうものである。【０００８】  市販のカイロは、通常、鉄粉、活性炭、珪藻土、塩類、その他数種のものからなっている。このようなカイロは、空気の注入によって、湿度を含んだ活性炭が酸素を化学吸着し易い性質を利用して、鉄粉の酸化を促進し、その際に発する酸化発熱エネルギを利用して、カイロとして用いられている。【０００９】  しかし、従来のカイロにおいては、酸化発熱における総エネルギが一定であるため、一度空気に曝すと鉄粉などの酸化反応は最後まで進行し、この反応が終ると発熱も終わっていた。すなわち、従来のカイロにおいては、発熱強度を中途で変えることはできないばかりでなく、一度、発熱が始まると、最後まで反応が続き、それを中途で止めることは不可能であった。また、カイロを使用する際における温度のみに注意が集中され、それ以外のことに注意が向けられることはなかった。【００１０】  しかし、本発明においては、空気の供給をコントロールするための、開閉機能を有する収納袋中にカイロとポプリを収納する。収納袋の開閉機能を開いて、カイロとポプリへの空気の供給を行なうと、発熱は促進されて体感温度は上昇し、同時にポプリから芳香の発生が促進される。収納袋の開閉機能を閉じて、空気の供給を停止すれば、カイロの発熱は停止し、ポプリからの芳香発生も事実上停止する。【００１１】  したがって、カイロ収納袋を完全に閉じて空気の流入を遮断すればれば、カイロの発熱は停止して、温度は低下するので、不使用の際は、単に収納袋を閉じればよく、実用上簡便である。【００１２】  収納袋としては、例えばポレチレンなど、空気の流入を阻止し、気密を保持できる多くの材料の薄膜を用いることができる。また、これら収納袋の開閉には、後記のように、凹凸部の嵌合を利用したチャックを用いるのが、最も簡便である。また、収納袋内のカイロの発熱機能が停止したときは、そのカイロを収納袋から取り出し、未使用の新しいカイロと入れ換えればよい。開閉機構本体とその蓋を、樹脂薄膜で形成し、さらに一般に市販されているチャック、またはポリウレタン製のチャック部分を利用して、開閉機構本体側に凹部、蓋側に凸部を、それぞれの形状にあわせて加工接合させる。このようにすれば、開閉機構の蓋が不必要に開いてしまうことが防止され、最も簡便である。【００１３】  さらに、上記チャックでは、外部から手で引っ張れば容易に開くことができるが、内側（袋内）からは容易には開かないような凹凸のかみ合わせ形状になっているため、袋内のカイロやポプリのふくらみによって、不必要に開いてしまうことはない。しかし、ポリウレタン製の凹凸チャックでは、収納袋内の機密を保つのに一定の効果はあるが、機密性をさらに高めるため、チャックの内側（収納口内）にゴム製パッキングを装着させた。【００１４】  また、西欧では、ドライフラワー、ハーブおよびスパイスを用いて、これらの香りを楽しむ習慣��あり、これらに用いられるものをポプリと呼んでいる。特に、バラの花びらは、ポプリ材料の中心的な役割を果たしており、ハーブ、ローズマリーおよびラベンダーなど、他の花や木の実、皮、根などを目的に応じて適宜混合して使用され、ポプリの種類は約２００種類に達するといわれている。本明細書においても、このような芳香の発生を目的に形成された、各種植物などの混合物をポプリと総称する。
【発明の効果】
【００１５】  寒い季節や寒冷地などにおいて、手袋などの防寒用品を用いても、なお寒く感じることもあり、手袋などの保温用品に、さらにカイロを併用することは、実用上有効である。しかし、従来のカイロは体感温度の調節ができないばかりでなく、断続的に使用することができず、一度、使用を始めると、寿命が終わるまで使用を続ける他なかった。そのため、過度に加温されてしまって、使用者が暑過ぎて不快になることがり、しかも、カイロの消耗が大きく、経済的にも不利であった。【００１６】  しかし、本発明においては、カイロを連続使用できるばかりでなく、断続して使用することも可能であるため、使用者の好みに合わせて、最適の体感温度に調節することが可能である。しかも、カイロを不使用の際には、開閉機構の蓋を閉じれば、その間は全くエネルギは消費されない。カイロが不使用の場合であっても、カイロの発熱停止が不可能で、エネルギを消費する他なかった、従来のカイロにくらべて、大きな利点である。【００１７】  ポプリの場合も同様である。たとえばレースの袋にポプリを入れて、別の袋に入れたカイロとともに収納袋内に入れ、収納袋内への空気を供給を行なえば、カイロの発熱とともにポプリからの芳香の発生ができるばかりでなく、カイロの使用に合わせて、ポプリからの芳香の発生を調節することが可能である。カイロとポプリをそれぞれ別の袋に入れるのではなく、両者を混合して使用できることは、いうまでもない。
【発明を実施するための最良の形態】
【００１８】  本発明は、酸化発熱タイプのカイロおよびポプリを入れた収納袋と、この収納袋内の上記カイロおよびポプリに空気を供給する手段を有し、当該空気の供給を制御して、上記カイロの発熱を所望の値に制御するとともに、上記ポプリからの芳香の発生を調節する。【００１９】  上記収納袋に供給される空気量の制御は、上記収納袋の有する空気取入口の開閉を、当該空気取り入れ口の外部から制御することによって行なわれる。【００２０】上記保温防寒用品は、手袋、ルーズソックス、もしくはスリッパである。【００２１】  上記収納袋の空気取入口の開閉は、当該収納袋の入口に設けられた開閉機構に設けられた凹ラインに、上記開閉機構の蓋側に設けられた凸ラインを、嵌合させることによって行なわれる。すなわち、両側の凹凸ラインが完全に嵌合すれば、収納部分の口は閉じ、両側の凹凸ラインが嵌合せずに開ければ、収納袋の口は開く。この操作は、蓋のつまみを外部から引っ張ればよく、極めて容易である。また、上記開閉機構と上記蓋の凹凸ラインの側面を、弾性を有する材料、たとえばゴムによって形成すれば、収納袋内の密着性をさらに高めることが可能である。【００２２】  上記カイロおよびポプリは、それぞれ別の袋に収納され、当該一つの袋は上記収納袋中に入れられている。また、上記カイロおよびポプリを一つの袋中に収納し、この一つの袋を、上記収納袋中に入れてもよい。
【実施例１】
【００２３】  図面を用いて本発明を詳細に説明する。図１は本発明の収納袋を上側から見た図（平面図）である。図１において、ａは収納袋、ｂは開閉機構、ｃは開閉機構の蓋、ｄは蓋のつまみを、それぞれ表す。開閉機構ｂの蓋ｃのつまみｄを引くと、嵌合されて封じられた凸ラインは、分離されて、嵌合されていない状態に戻り、収納口が開いて、収納袋ａの中には空気が供給される。このように、収納袋ａの蓋ｃを開くことによって、カイロｌおよびポプリｋへの空気の供給を変化させることができる。【００２４】  図２は、図１のＡ−Ａ’断面図であり、開閉機構ｂの蓋ｃを開いた状態を示す。蓋ｃの先端のつまみｄの、開閉時における軌跡ｆは、図２に示したように、円弧状になる。開閉機構ｂの蓋ｃを開くことによって、収納袋ａ内のポプリｋおよびカイロｌは、動作状態に入る。このようなカイロｌおよびポプリｋへの空気の供給は、収納袋にカイロｌやポプリｋを収納したままの状態で行なうことができ、極めて便利である。【００２５】  図３は、開閉機構ｂの蓋ｃを開いた状態を示し、記号ｅはゴム材、ｇは凹ライン、ｈは凸ライン、ｉは収納口、ｊは蓋の樹脂薄膜を、それぞれ表す。つまみｄを用いて、蓋ｃを開くと、それにともなって、収納口ｉと蓋の樹脂薄膜ｊ、凸ラインｈと凹ラインｇ、およびゴム材ｅが開き、それにともなって、収納袋ａ内のカイロｌおよびポプリｋは、動作状態に入る。【００２６】  図４は、図３のＢ−Ｂ’およびＣ−Ｃ’断面図であり、ｅはゴム、ｇは凹ライン、ｈは凸ラインを、それぞれ示す。凹ラインｇおよび凸ラインｈは樹脂で形成されているため、開閉機構の蓋を嵌合するのに極めて好都合である。また、凹ラインｇおよび凸ラインｈの側部には、それぞれゴム材ｅが配置されており、気密を保っている。
【実施例２】
【００２７】  本発明の第２の実施例は、一般にガードソックスとよばれているものに、本発明を適用したもので、足首の部分の保温に特に好適である。すなわち、通常の靴下は、脛からと足首を経て、足の指先までを覆うのが通常である。しかしガードソックスは，脛と足首のみを覆う円筒状の防寒具であり、足の部分は覆われない。この円筒状の部分に、上記実施例１と同様に、カイロとポプリを入れた収納袋を配置した。このようにすれば、容易に収納袋を開閉して、カイロとポプリへの空気の調節を行ない、体感温度を最適にするとともに、芳香を発生させることができた。
【実施例３】
【００２８】  本発明の第３の実施例は、本発明をスリッパに適用した例である。スリッパは足の先端近くの部分のみが覆われ、他の部分は露出されている。そのため、指以外の部分までが覆われている通常の靴などに比較して、体感温度が低いという欠点がある。【００２９】  しかし、実施例１、２と同様に、足の先端部を覆う部分にカイロとポプリを入れた収納袋を設けた。これにより、容易に収納袋を開閉して、カイロおよびポプリへ供給される空気の調節を行ない、体感温度を最適にするとともに芳香を発生させることができた。
【産業上の利用の可能性】
【００３０】  本発明は、手袋、ガードソックスおよびスリッパなどを連続して使用するのではなく、必要時のみに断続して使用できるので、最適温度で使用することが可能である。そのため、従来は使用が困難であった、多くの保温防寒用品も、本発明によって使用することが可能になった。また、カイロの使用にともなって、ポプリからの芳香が同時に発生されるので、これらの保温防寒用品を快適に使用できる。
【図面の簡単な説明】
【００３１】
【図１】本発明の収納袋を上側から見た図。
【図２】本発明の収納袋の断面図。
【図３】本発明における開閉機構を説明するための図。
【図４】本発明の開閉機構の断面構造を示す図。
【符号の説明】
【００３２】ａ…収納袋、ｂ…開閉機構、ｃ…開閉機構の蓋、ｄ…蓋のつまみ、ｅ…ゴム、ｆ…蓋の開閉時における軌跡、ｇ…凹ライン、ｈ…凸ライン、ｉ…収納口、ｊ…蓋の樹脂薄膜、ｋ…ポプリ袋、ｌ…カイロ。
【図１】
2008144332.tif 000003
【図２】
2008144332.tif 000004
【図３】
2008144332.tif 000005
【図４】
2008144332.tif 000006